(57)【要約】【課題】上食器かごに被洗浄物をセットした状態でも、上食器かごを簡単に移動することによって、下食器かごに被洗浄物を容易にセットできるようにして、食器洗い機の使い勝手を大幅に向上させる。【解決手段】食器洗い機本体１と、上方に開口し前記食器洗い機本体から前後に引出し可能な洗浄槽２と、前記洗浄槽内に被洗浄物を収納する上食器かご１３と下食器かご１４の上下２段の食器かごを備え、前記上食器かご１３は上方から見て、そのほぼ全面を前記洗浄槽２の外側に移動可能とした。【選択図】図１
2006262923.tif 000002
【特許請求の範囲】
【請求項１】
食器洗い機本体と、上方に開口し前記食器洗い機本体から前後に引出し可能な洗浄槽と、前記洗浄槽内に被洗浄物を収納する上食器かごと下食器かごの上下２段の食器かごを備え、前記上食器かごは上方から見て、そのほぼ全面を前記洗浄槽の外側に移動可能とした食器洗い機。
【請求項２】
上食器かごは、洗浄槽の引出し方向に移動可能とした請求項１記載の食器洗い機。
【請求項３】
上食器かごは、食器洗い機本体の上方に移動可能とした請求項１記載の食器洗い機。
【請求項４】
上食器かごは、回動と水平方向の移動とにより洗浄槽の外側へと移動可能とした請求項１〜３のいずれか１項記載の食器洗い機。
【請求項５】
上食器かごは、回動により洗浄槽の上部まで移動した後、水平方向の移動により洗浄槽の外側へと移動する請求項４記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来、一般的な食器洗い機は、図７に示すように構成していた。以下、その構成について説明する。
【０００３】
図７に示すように、食器洗い機本体１は、内部に洗浄槽２を設けており、洗浄槽２が上方に開放していて、上方から被洗浄物８の出し入れが可能となっている。また、洗浄槽２内へは給水弁３により外部から水または湯を供給するようにしている。ここで、その洗浄水の供給は、水位センサ（図示せず）を利用して適切な水位に設定し、給水弁３からの給水を自動的に止める。洗浄槽２の底部には排水孔４を設け、この排水孔４に連通し、モータによって駆動される洗浄ポンプ５を取り付け、この洗浄ポンプ５により洗浄水を洗浄ノズル７から噴射させて洗浄槽２の内部に循環するよう構成している。また、排水孔４には残さいを捕集する残さいフィルタ６を具備している。
【０００４】
また、洗浄ノズル７と洗浄槽２の底部との間には、洗浄水加熱用のヒータ９を装備し、洗浄ノズル７の上方には、被洗浄物８を整然と配置でき、洗浄水を効果的に被洗浄物８に噴射するように構成した上食器かご１０と下食器かご１１の上下二段からなる食器かごを設置して効率的に洗浄を行えるようにしている。制御手段１２は、給水弁３や洗浄ポンプ５等の電装部品を駆動、制御するものである（例えば、特許文献１参照）。
【０００５】
上記構成において動作を説明する。洗浄槽２内に供給された洗浄水は、残さいフィルタ６を通過して洗浄ポンプ５に吸い込まれ、洗浄ポンプ５より洗浄槽２の内底部に設けた洗浄ノズル７に供給される。洗浄ノズル７から噴射された洗浄水は、被洗浄物８を洗浄した後、再び排水孔４に戻るという経路で循環する。この際、被洗浄物８から脱落した残さい等は、洗浄水とともに残さいフィルタ６に流入し、この残さいフィルタ６を通過できない大きさの残さいは残さいフィルタ６に捕集される。
【特許文献１】特開２００２−１７６４３号公報
【発明の開示】
【発明が解決しようとする課題】
【０００６】
しかしながら、このような従来の構成では、洗浄槽の上方から被洗浄物をセットすることになるため、上食器かごに被洗浄物をセットしてしまっている場合では、その真下にあたる位置に被洗浄物をセットしようとすると、一度上食器かごに置いた被洗浄物を一旦片付けるか、下食器かごをセットし終わるまで、上食器かごに被洗浄物をセットできなくなる。また、食事毎や食事の間で飲んだコップ類などの被洗浄物が発生した場合、一度上食器かごに置くので非常に不便であり、被洗浄物のセットがしづらいという不具合が発生する。
【０００７】
本発明は上記従来の課題を解決するもので、上食器かごに被洗浄物をセットした状態でも、上食器かごを簡単に移動することによって、下食器かごに被洗浄物を容易にセットすることにより、食器洗い機の使い勝手を大幅に向上することを目的としている。
【課題を解決するための手段】
【０００８】
本発明は上記目的を達成するために、食器洗い機本体と、上方に開口し前記食器洗い機本体から前後に引出し可能な洗浄槽と、前記洗浄槽内に被洗浄物を収納する上食器かごと下食器かごの上下２段の食器かごを備え、前記上食器かごは上方から見て、そのほぼ全面を前記洗浄槽の外側に移動可能としたものである。
【０００９】
これにより、上食器かごに被洗浄物をセットしたまま、上食器かごを簡単に移動することによって、上食器かごの下側にある下食器かごの全面に亘って、被洗浄物を容易にセットすることができ、食器洗い機の使い勝手を大幅に向上することができる。
【発明の効果】
【００１０】
本発明の食器洗い機は、上食器かごに被洗浄物をセットしたまま、上食器かごを簡単に移動することによって、上食器かごの下側にある下食器かごへの食器のセットを楽に行うことができるので、下食器かごに被洗浄物を容易にセットすることができる。また、上食器かごのほぼ全面を洗浄槽の外側に出すことができるので、上食器かごと下食器かごの両方の食器かごに対して、どちらへでも、あるいは同時にでも食器を容易にセットできるため、食器洗い機の使い勝手を大幅に向上することができる。
【発明を実施するための最良の形態】
【００１１】
第１の発明は、食器洗い機本体と、上方に開口し前記食器洗い機本体から前後に引出し可能な洗浄槽と、前記洗浄槽内に被洗浄物を収納する上食器かごと下食器かごの上下２段の食器かごを備え、前記上食器かごは上方から見て、そのほぼ全面を前記洗浄槽の外側に移動可能としたことにより、食器かごに食器がセットされた状態でも、上食器かごに被洗浄物をセットしたまま、上食器かご全体を移動することによって、上食器かごで塞がれた下食器かごのスペースを空ける事ができ、上方から下食器かごに被洗浄物を容易にとったり、セットすることができるために、食器洗い機の使い勝手を大幅に向上することができる。
【００１２】
第２の発明は、上記第１の発明において、上食器かごは、洗浄槽の引出し方向に移動可能としたことにより、洗浄槽を引き出した後、洗浄槽の左右どちら側に立って操作しても、移動した上食器かごが邪魔にならずに、食器のセットを行うことができるため、食器洗い機の使い勝手を大幅に向上することができる。
【００１３】
第３の発明は、上記第１の発明において、上食器かごは、食器洗い機本体の上方に移動可能としたことにより、洗浄槽を引出し、上食器かごを食器洗い機本体の上方、例えば、食器洗い機をビルトインしているキッチンのワークトップの上へ移動した後、引出しの前および左右のどこに立って食器洗い機を操作しても、移動した上食器かごが邪魔にならずに、食器のセットを行うことができる。また、移動した上食器かごは、食器洗い機本体の上方のワークトップ上にあるために、清掃の簡単なワークトップの上へ汁だれをするが、床への食器からの汁だれを防止することができ、食器洗い機の使い勝手を大幅に向上することができる。
【００１４】
第４の発明は、上記第１〜第３の発明において、上食器かごは、回動と水平方向の移動とにより洗浄槽の外側へと移動可能としたことにより、上食器かごが洗浄槽の前方あるいは後方の縁に接近した状態から移動させるときでも、まず水平に洗浄槽の中央方向に移動させ回動させることができるため、回動途中で、上食器かごが洗浄槽の前後の縁にぶつかって移動できないといったことがなく、上食器かご全体を洗浄槽の外側へ移動することができる。さらに、上方へ上げた状態で水平に動かすことにより洗浄槽より確実に外側に出す構成をとることができる。よって、上食器かごを洗浄槽の端に寄せて配置することができ、スペースを有効に使いながら、食器洗い機の使い勝手を大幅に向上することができる。
【００１５】
第５の発明は、上記第４の発明において、上食器かごは、回動により洗浄槽の上部まで移動した後、水平方向の移動により洗浄槽の外側へと移動するようにしたことにより、上食器かごの回動角度を大きくとれず、回動だけでは上食器かごを洗浄槽の外側へ移動するのが困難な場合でも、回動後の水平方向の移動により、上食器かご全体を洗浄槽の外側へ移動することができるため、洗浄槽と上食器かごとの距離を大きくとることができ、洗浄槽の上方のスペースを大きくとれ、洗浄槽上方からの被洗浄物の出し入れがしやすくなるために、食器洗い機の使い勝手を大幅に向上することができる。
【００１６】
以下、本発明の一実施の形態について、図面を参照しながら説明する。なお、従来例と同じ構成のものは同一符号を付して説明を省略する。また、この実施の形態によって本発明が限定されるものではない。
【００１７】
（実施の形態１）
図１、図２、図３、図４および図５に示すように、食器洗い機本体１から引き出しレール等の手段（図示せず）で前後に引き出し可能に支持された洗浄槽２は、上方に開口していて、上方から食器等の被洗浄物８の出し入れが可能となっている。また、洗浄槽２の中に、上食器かご１３と下食器かご１４の上下二段からなる食器かごを設置している。上食器かご１３は、洗浄槽２の前方寄りに設けられ、下食器かご１４の上方を一部覆うように構成されている。
【００１８】
この上食器かご１３は、回転支持部２ａで洗浄槽２の内側面に回転自在に取り付けられたリンク１５により回転支持部２ａを中心に洗浄槽２に対し回転自在としている。また、上食器かご１３の側面にはガイド１６が取り付けてあり、ガイド１６には水平方向に長穴が開けてあり、リンク１５の先端部に設けた突起１７がガイド１６の長穴から外れないように、突起の先端に円盤があり、リンク１５とガイド１６が回転と水平方向への移動が可能なように取り付けられている。これにより、上食器かご１３が回転と水平方向への移動が可能としている。
【００１９】
また、リンク１５は、同じ長さのリンク同士を連結させたリンク構成、いわゆる平行リンクを上食器かご１３の両側に設けることによって、上食器かご１３が水平を保ちつつ回転自在に構成されている。なお、この平行リンクは周知の構成が使用できるので、詳細構成は図示省略する。また、リンク１５の回転の最終地点で、洗浄槽２の内側に設けられたリブによってリンク１５を支え、上食器かご１３の移動最終位置を規制し、移動し終わった上食器かご１３の姿勢を保つように構成している。
【００２０】
上記構成において動作、作用を説明する。食器洗い機の洗浄に関する動作は従来の食器洗い機と同様であるので説明は省略し、本発明の特徴である被洗浄物のセットに関する動作、作用のみ説明する。
【００２１】
まず、図１に示すように、洗浄槽２を食器洗い機本体１から前方に引き出す。次に図２に示すように、上食器かごの一部を手で持って上食器かご１３を後方すなわち洗浄槽２の中央方向へ水平に移動させる。この際、リンク１５の先端部に設けた突起１７がガイド１６の長穴内を水平に移動するだけであるので、上食器かご１３も水平位置を保ちつつ水平に後方に移動する。
【００２２】
その後、図３に示すように、上食器かごを上方に引き上げようとすると、リンク１５は回転支持部２ａの周りに回転し、リンク１５が構成する平行リンクの作用により、上食器かご１３は水平位置を保ったまま上方前方に移動し、洗浄槽２の開口よりの上方外側へ移動し、ついには、リンク１５が洗浄槽２の内側に設けられたリブに当たる位置まで回動移動する。
【００２３】
さらに、上食器かご１３を前方に引っ張ると、リンク１５の先端部に設けた突起１７がガイド１６の長穴内を後方に水平移動することにより、上食器かご１３は、前方に水平方向に移動し、図４および図５に示すように洗浄槽２の前方外側へ移動する。
【００２４】
その結果、上食器かご１３は、洗浄時に洗浄槽２内に位置する位置より前方かつ上方に移動するとともに、下食器かご１４の上方を覆わなくなるので、上食器かご１３と下食器かご１４の両方のセットする場所が上方より確認することができるために、両方の食器かごに食器等の被洗浄物８を自由にセットすることが可能となる。また、上食器かご１３が下食器かご１４の上方から前方に移動することにより、上食器かご１３に被洗浄物８をセットしていても、下食器かご１４の真上のスペースを空けることができ、空いたスペースから下食器かご１４に被洗浄物８を容易にセットすることができるようになる。
【００２５】
以上のように、本実施の形態においては、上食器かご１３を被洗浄物８のセットした姿勢を保ったままで移動可能としたので、上食器かご１３に被洗浄物８をセットしたまま、その下の下食器かご１４に被洗浄物８をセットすることが容易となり、上食器かご１３の被洗浄物８を一旦片付けるか、下食器かご１４をセットし終わるまで、上食器かご１３に被洗浄物８が置けないといったことがなくなり、無理やり上食器かご１３を持ち上げながら、下食器かご１４に食器を入れることもなくなる。また、上食器かご１３を引き出した洗浄槽２に対して前方に移動させるようにしたので、左右どちら側から操作しようとしても、移動した上食器かご１３が邪魔になることはない。
【００２６】
（実施の形態２）
本実施の形態は、図６に示すように、上食器かご１３は洗浄槽２の奥行き方向後方寄りに設け、上食器かご１３を上方後方に移動し、洗浄槽２の後方外側に移動させたとき、食器洗い機本体の上方のキッチンのワークトップ上に移動可能に構成したものである。上食器かご１３の配設位置および移動機構の構成以外は、上記実施の形態１と同じであり、詳細な説明は省略する。
【００２７】
食器洗い機本体１は、キッチンのワークトップの下方にビルトインされていて、洗浄槽２を引き出すと、洗浄槽２が上方に開放していて、上方からの被洗浄物８の出し入れが可能となっている。また、洗浄槽２の中に、上食器かご１３と下食器かご１４の上下二段からなる食器かごを設置している。上食器かご１３は、洗浄槽２の後方寄りに設けられ、下食器かご１４の上方を一部覆うように構成されている。また、上食器かご１３には、リンク１５が回転支持部２ａを中心に洗浄槽２に対し回転自在に取り付けられていて、上食器かご１３が食器洗い機本体１の上方キッチンのワークトップ上に移動可能なように構成されている。また、リンク１５、ガイド１６、突起１７については、上記実施の形態１と同じ構成である。
【００２８】
上記構成において動作、作用を説明する。まず、上食器かご１３を水平に保ちつつ、リンク１５により回転しながら、洗浄槽２の上方、ここでは、キッチンのワークトップ上へ移動する。上食器かご１３が移動したために、上食器かご１３と下食器かご１４の両方のセットする場所が上方より確認することができるために、両方の食器かごに食器等の被洗浄物８を自由にセットすることが可能となる。
【００２９】
また、上食器かご１３に被洗浄物８をセットした後で、上食器かご１３の真下にあたる下食器かご１４のスペースに被洗浄物８をセットする場合も、上食器かご１３を水平に保ちつつ、リンク１５により回転しながら、洗浄槽２の上方でかつ食器洗い機本体の上方、ここでは、キッチンのワークトップ上へ移動させると、上食器かご１３が移動することにより、スペースを空けることができ、空いたスペースから下食器かご１４に被洗浄物８を容易にセットすることができるようになる。
【００３０】
また、上食器かご１３には湯呑みやコップ等の形状が不揃いで破損しやすい小物類を収納するような食器かご構成とすることが使用者の利便性が高く、この上食器かご１３をキッチンのワークトップ上まで移動させて湯呑みやコップ等の出し入れをすることが可能となる。
【００３１】
以上のように、本実施の形態においては、上食器かご１３を移動することによって、上食器かご１３と下食器かご１４の両方の食器かごに自由に食器をセットすることが可能となる。また、上食器かご１３を被洗浄物８のセットした姿勢を保ったままで移動可能としたので、上食器かご１３に被洗浄物８をセットしたまま、その下の下食器かご１４に被洗浄物８をセットすることが容易となり、上食器かご１３の被洗浄物８を一旦片付けるか、下食器かご１４をセットし終わるまで、上食器かご１３に被洗浄物８が置けないといったことがなくなり、無理やり上食器かご１３を持ち上げながら、下食器かご１４に食器を入れようとすることもなくなる。
【００３２】
また、移動した上食器かご１３を洗浄槽２の上方もしくはワークトップ上へ移動可能としたので、小物類を整然と配置することが容易となるだけでなく、被洗浄物を誤って破損してしまったり、床への被洗浄物からの汁だれの心配もなくなる。また、移動した上食器かご１３の移動した位置を食器洗い機本体上部のワークトップ上とした場合、引き出した洗浄槽２の左右どちら側に立って作業しても、移動した上食器かご１３が邪魔になることがない。
【産業上の利用可能性】
【００３３】
以上のように、本発明にかかる食器洗い機は、上かごは上方から見て、そのほぼ全面を前記洗浄槽の外側に移動することによって、上食器かごで塞がれた下食器かごのスペースを空ける事ができ、上方から下食器かごに被洗浄物を容易に食器をとったり、セットすることができるために、食器洗い機の使い勝手を大幅に向上することができるので、食器等の被洗浄物に洗浄水を噴射して洗浄する食器洗い機として有用である。
【図面の簡単な説明】
【００３４】
【図１】本発明の実施の形態１の食器洗い機の洗浄槽を食器洗い機本体から引き出した状態を示す縦断面図
【図２】同食器洗い機の上食器かごの移動途中の状態を示す縦断面図
【図３】同食器洗い機の上食器かごの移動途中の状態を示す縦断面図
【図４】同食器洗い機の上食器かごの移動終了の状態を示す縦断面図
【図５】同食器洗い機の上食器かごの移動終了の状態を示す平面図
【図６】本発明の実施の形態２の食器洗い機の上食器かごが移動終了した状態を示す縦断面図
【図７】従来の食器洗い機の縦断面図
【符号の説明】
【００３５】
１  食器洗い機本体
２  洗浄槽
１３  上食器かご
１４  下食器かご
１５  リンク
１６  ガイド
【図１】
2006262923.tif 000003
【図２】
2006262923.tif 000004
【図３】
2006262923.tif 000005
【図４】
2006262923.tif 000006
【図５】
2006262923.tif 000007
【図６】
2006262923.tif 000008
【図７】
2006262923.tif 000009